(57)【要約】【課題】原稿シートの読み取りに関する機能をユーザが選択容易な技術を提供する。【解決手段】読取装置は、原稿トレイと、原稿トレイに保持されている原稿シートを搬送する搬送部と、読取部と、原稿台と、表示部と、ＣＰＵと、を備える。ＣＰＵは、搬送読取モード及び移動読取モードのいずれで読取部を動作させるかを決定する決定処理と、をじをと、決定処理において搬送読取モードで動作させると決定した場合、表示部において、搬送読取モードに関する機能を示す搬送読取表示を移動読取モードに関する機能を示す移動読取表示よりも優先して表示させる搬送優先表示をし、決定処理において移動読取モードで動作させると決定した場合、移動読取表示を搬送読取表示よりも優先して表示させる移動優先表示をする表示処理と、を実行する。【選択図】図５
2014204353.tif 000002
【特許請求の範囲】
【請求項１】
原稿トレイと、
前記原稿トレイに保持されている原稿シートを搬送する搬送部と、
読取部と、
原稿台と、
表示部と、
制御部と、を備え、
前記制御部は、
原稿シートを搬送部に搬送させながら原稿シート上の画像を前記読取部に読み取らせる搬送読取モード、及び、前記読取部を移動させながら前記原稿台に載置された原稿シート上の画像を前記読取部に読み取らせる移動読取モード、のいずれで前記読取部を動作させるか決定する決定処理と、
前記決定処理において前記搬送読取モードで動作させると決定した場合、前記表示部において、前記搬送読取モードに関する機能を示す搬送読取表示を前記移動読取モードに関する機能を示す移動読取表示よりも優先して表示させる搬送優先表示をし、
前記決定処理において前記移動読取モードで動作させると決定した場合、前記移動読取表示を前記搬送読取表示よりも優先して表示させる移動優先表示をする表示処理と、を実行する、
読取装置。
【請求項２】
請求項１に記載の読取装置であって、
前記搬送優先表示は、前記移動読取表示を前記搬送読取表示よりも視認性を低くして前記表示部に表示させることであり、
前記移動優先表示は、前記搬送読取表示を前記移動読取表示よりも視認性を低くして前記表示部に表示させることである、
読取装置。
【請求項３】
請求項２に記載の読取装置であって、
前記制御部は、
前記原稿トレイに原稿シートが保持され、かつ、前記原稿台に原稿シートが載置された場合、前記移動読取表示及び前記搬送読取表示を前記搬送優先表示及び前記移動優先表示の両方とも異なる方法で前記表示部に表示させる、
読取装置。
【請求項４】
請求項３に記載の読取装置であって、
前記制御部は、
前記原稿トレイに原稿シートが保持され、かつ、前記原稿台に原稿シートが載置された場合、前記原稿トレイにおける原稿シートの保持と前記原稿台における原稿シートの載置とのいずれが先かを判断する先行判断処理を実行し、
前記先行判断処理において、前記原稿台における原稿シートの載置が前記原稿トレイにおける原稿シートの保持より先であると判断した場合、前記決定処理では、前記搬送読取モードで動作させると決定し、
前記先行判断処理において、前記原稿トレイにおける原稿シートの保持が前記原稿台における原稿シートの載置より先であると判断した場合、前記決定処理では、前記移動読取モードで動作させると決定する、
読取装置。
【請求項５】
請求項４に記載の読取装置であって、
前記原稿トレイに保持された原稿シートの有無を検知するトレイセンサと、
前記原稿台を覆う原稿台カバーと、
前記原稿台カバーの開閉状態を検知するカバーセンサと、
記憶部と、を備え、
前記制御部は、
前記トレイセンサの検知結果に基づいて、前記原稿トレイに原稿シートが保持されているか否かを判断するトレイ側判断処理と、
前記トレイ側判断処理において前記原稿トレイに原稿シートが保持されていると判断した場合、原稿シートが前記原稿トレイに保持されていることを前記記憶部に記憶させるトレイ側記憶処理と、
前記読取部が前記原稿シート上の画像を読み取る前に、前記カバーセンサの検知結果に基づいて、前記原稿台カバーが開状態であるか否かを判断するカバー側判断処理と、
前記カバー側判断処理において前記読取部が前記原稿シート上の画像を読み取る前に、前記原稿台カバーが開状態であると判断した場合、原稿シートが前記原稿台に載置されていることを前記記憶部に記憶させる原稿台側記憶処理と、を実行し、
前記先行判断処理において、
原稿シートが前記原稿トレイに保持されていることが前記記憶部に記憶されている場合、前記決定処理では、前記搬送読取モードで動作させると決定し、
原稿シートが前記原稿台に載置されていることが前記記憶部に記憶されている場合、前記決定処理では、前記移動読取モードで動作させると決定する、
読取装置。
【請求項６】
請求項３に記載の読取装置であって、
前記表示部の表示内容を選択する選択部を備え、
前記制御部は、
前記原稿トレイに原稿シートが保持され、かつ、前記原稿台に原稿シートが載置された場合、前記搬送読取表示と前記移動読取表示のうち、いずれか一方を前記選択部により選択させるための選択表示を前記表示部に表示させ、
前記決定処理では、前記選択表示において前記いずれか一方が前記選択部により選択された場合、その選択結果に基づいて、前記搬送読取モード及び前記移動読取モードのいずれで前記読取部を動作させるかを決定する、
読取装置。
【請求項７】
請求項３に記載の読取装置であって、
前記制御部は、
前記表示部に表示されている表示を、前記搬送優先表示及び前記移動優先表示のいずれもさせずに該表示部に表示させ、
前記移動読取表示のみに含まれる表示について選択された場合、前記決定処理において、前記移動読取モードで動作させると決定し、
前記搬送読取表示のみに含まれる表示について選択された場合、前記決定処理において、前記搬送読取モードで動作させると決定する、
読取装置。
【請求項８】
請求項２に記載の読取装置であって、
前記表示部の表示内容を選択する選択部を備え、
前記制御部は、
前記移動読取表示の前記視認性が前記搬送読取表示の前記視認性より低いときに、前記移動読取表示が前記選択部により選択された場合、前記移動読取表示の前記視認性を前記搬送読取表示の前記視認性よりも高くし、
前記搬送読取表示の前記視認性が前記移動読取表示の前記視認性より低いときに、前記搬送読取表示が前記選択部により選択された場合、前記搬送読取表示の前記視認性を前記移動読取表示の前記視認性よりも高くする、
読取装置。
【請求項９】
請求項１に記載の読取装置であって、
前記搬送優先表示は、前記搬送読取表示を前記移動読取表示よりも強調して前記表示部に表示させることであり、
前記移動優先表示は、前記移動読取表示を前記搬送読取表示よりも強調して前記表示部に表示させることである、
読取装置。
【請求項１０】
請求項９に記載の読取装置であって、
前記制御部は、
前記原稿トレイに原稿シートが保持され、かつ、前記原稿台に原稿シートが載置された場合、前記原稿トレイにおける原稿シートの保持と前記原稿台における原稿シートの載置とのいずれが先かを判断する先行判断処理を実行し、
前記先行判断処理において、前記原稿台における原稿シートの載置が前記原稿トレイにおける原稿シートの保持より先であると判断した場合、前記搬送読取表示を前記移動読取表示よりも強調して表示させ、
前記先行判断処理において、前記原稿トレイにおける原稿シートの保持が前記原稿台における原稿シートの載置より先であると判断した場合、前記移動読取表示を前記搬送読取表示よりも強調して表示させ表示させる、
読取装置。
【請求項１１】
請求項１に記載の読取装置であって、
前記制御部は、前記搬送読取表示と前記移動読取表示の両方を含む表示を複数のページに亘って前記表示部に表示させるとき、
前記搬送優先表示は、前記表示部において前記搬送読取表示を先頭のページに表示させることであり、
前記移動優先表示は、前記表示部において前記移動読取表示を先頭のページに表示させることである、
読取装置。
【発明の詳細な説明】
【技術分野】
【０００１】
原稿シートの読み取りに関する機能をユーザが選択可能な読取装置に関する。
【背景技術】
【０００２】
従来、原稿シートの読み取りに関する機能を示すアイコンが表示部に表示される読取装置が知られている（特許文献１参照）。この読取装置では、原稿シートの読み取りに関する機能を示し、ユーザからの指示を受け付け可能な複数のアイコンが表示部に表示される。ユーザが、実行を希望する機能を示すアイコンを選択して指示することで、指示されたアイコンに対応する原稿シートの読み取りに関する処理が実行される。
【先行技術文献】
【特許文献】
【０００３】
【特許文献１】特開２００９−９４９４４号公報
【発明の概要】
【発明が解決しようとする課題】
【０００４】
ところで、原稿シートを読み取るための読取部が、搬送中の原稿シート上の画像を読み取る読取モード、台等に載置された原稿シート上の画像を読み取る読取モード、等の複数の読取モードで動作される読取装置が知られている。この種の読取装置では、複数の読取モードうち、いずれかの読取モードで原稿シートの読み取り動作が実行される。
【０００５】
しかしながら、この種の読取装置では、ユーザが複数のアイコンから実行を希望する機能を示すアイコンを選択して指示する際、実行される読取モードに関する機能を示すアイコンは指示可能であるが、実行されない読取モードに関する機能を示すアイコンは指示することができない。このため、ユーザがアイコンを選択する際、そのアイコンが指示可能なアイコンであるのか指示不可能なアイコンであるのかをユーザが予め意識する必要があり、原稿シートの読み取りに関する機能をユーザが選択し難いという問題があった。
【０００６】
本明細書では、原稿シートの読み取りに関する機能をユーザが選択容易な技術を開示する。
【課題を解決するための手段】
【０００７】
本明細書によって開示される読取装置は、原稿トレイと、前記原稿トレイに保持されている原稿シートを搬送する搬送部と、読取部と、原稿台と、表示部と、制御部と、を備える。
【０００８】
前記制御部は、原稿シートを搬送部に搬送させながら原稿シート上の画像を前記読取部に読み取らせる搬送読取モード、及び、前記読取部を移動させながら前記原稿台に載置された原稿シート上の画像を前記読取部に読み取らせる移動読取モード、のいずれで前記読取部を動作させるかを決定する決定処理と、をじをと、前記決定処理において前記搬送読取モードで動作させると決定した場合、前記表示部において、前記搬送読取モードに関する機能を示す搬送読取表示を前記移動読取モードに関する機能を示す移動読取表示よりも優先して表示させる搬送優先表示をし、前記決定処理において前記移動読取モードで動作させると決定した場合、前記移動読取表示を前記搬送読取表示よりも優先して表示させる移動優先表示をする表示処理と、を実行する構成を有する。
【０００９】
この読取装置は、読取部を搬送読取モードと移動読取モードのいずれで動作させるか決定し、その決定に応じて、搬送読取表示と移動読取表示のいずれか一方を他方に優先して表示部に表示させる。このため、ユーザは、搬送読取モードに関する機能と移動読取モードに関する機能のうち、優先して表示された表示が指示可能で、優先して表示されていない表示が指示不可能であることを知ることができる。その結果、原稿シートの読み取りに関する機能をユーザが容易に選択することができる。なお、本明細書において、優先して表示部に表示させるとは、ユーザが選択容易な表示で表示部に表示させることをいう。
【００１０】
前記搬送優先表示は、前記移動読取表示を前記搬送読取表示よりも視認性を低くして前記表示部に表示させることであり、前記移動優先表示は、前記搬送読取表示を前記移動読取表示よりも視認性を低くして前記表示部に表示させることであってもよい。
【００１１】
上記の読取装置は、搬送読取表示と移動読取表示のうち一方を、ユーザからの指示を受け付け不可とする視認性が低い表示で表示部に表示させる。このため、受け付け不可とされた表示をユーザが容易に知ることができ、受け付け不可とされた表示をユーザが誤って選択することを防止することができる。
【００１２】
前記制御部は、前記原稿トレイに原稿シートが保持され、かつ、前記原稿台に原稿シートが載置された場合、前記移動読取表示及び前記搬送読取表示を前記搬送優先表示及び前記移動優先表示の両方とも異なる方法で前記表示部に表示させてもよい。
【００１３】
上記の読取装置は、原稿トレイと原稿台の両方に原稿シートがセットされた場合、移動読取表示及び搬送読取表示を搬送優先表示及び移動優先表示の両方とも異なる方法で表示部に表示させる。このため、ユーザは、原稿トレイと原稿台における原稿シートのセット状態に何らかの変更があったことを認識することができる。
【００１４】
前記制御部は、前記原稿トレイに原稿シートが保持され、かつ、前記原稿台に原稿シートが載置された場合、前記原稿トレイにおける原稿シートの保持と前記原稿台における原稿シートの載置とのいずれが先かを判断する先行判断処理を実行し、前記先行判断処理において、前記原稿台における原稿シートの載置が前記原稿トレイにおける原稿シートの保持より先であると判断した場合、前記決定処理では、前記搬送読取モードで動作させると決定し、前記先行判断処理において、前記原稿トレイにおける原稿シートの保持が前記原稿台における原稿シートの載置より先であると判断した場合、前記決定処理では、前記移動読取モードで動作させると決定してもよい。
【００１５】
上記の読取装置は、原稿トレイと原稿台の両方に原稿シートがセットされた場合、原稿トレイと原稿台のどちらに先に原稿シートがセットされたのかを判断する先行判断処理を実行する。そして、先行判断処理の判断結果に応じて、読取部を搬送読取モードと静止読取モードのいずれで動作させるかを決定する。即ち、先行判断処理の判断結果に応じて、移動優先表示と搬送優先表示のいずれか一方を表示部に表示させる。このため、原稿トレイと原稿台にそれぞれ原稿シートがセットされたタイミングを反映させながら、原稿シートの読み取りに関して指示可能な機能を示す表示を優先して表示部に表示させることができ、ユーザの利便性を向上させることができる。
【００１６】
前記原稿トレイに保持された原稿シートの有無を検知するトレイセンサと、前記原稿台を覆う原稿台カバーと、前記原稿台カバーの開閉状態を検知するカバーセンサと、記憶部と、を備え、前記制御部は、前記トレイセンサの検知結果に基づいて、前記原稿トレイに原稿シートが保持されているか否かを判断するトレイ側判断処理と、前記トレイ側判断処理において前記原稿トレイに原稿シートが保持されていると判断した場合、原稿シートが前記原稿トレイに保持されていることを前記記憶部に記憶させるトレイ側記憶処理と、前記読取部が前記原稿シート上の画像を読み取る前に、前記カバーセンサの検知結果に基づいて、前記原稿台カバーが開状態であるか否かを判断するカバー側判断処理と、前記原稿台カバー側判断処理において前記読取部が前記原稿シート上の画像を読み取る前に、前記原稿台カバーが開状態であると判断した場合、原稿シートが前記原稿台に載置されていることを前記記憶部に記憶させる原稿台側記憶処理と、を実行し、前記先行判断処理において、原稿シートが前記原稿トレイに保持されていることが前記記憶部に記憶されている場合、前記決定処理では、前記搬送読取モードで動作させると決定し、原稿シートが前記原稿台に載置されていることが前記記憶部に記憶されている場合、前記決定処理では、前記移動読取モードで動作させると決定してもよい。
【００１７】
原稿トレイと原稿台の両方に原稿シートがセットされた場合、ユーザは、原稿シートが後にセットされた方に対応する原稿シートの読み取りに関する機能を選択することが多い。上記の読取装置は、原稿トレイと原稿台の両方に原稿シートがセットされた場合、どちらに先に原稿シートがセットされたのかをセンサで検知し、記憶部に記憶させる処理を実行する。そして、先行判断処理において、記憶部に記憶されている情報に基づいて、原稿シートが後にセットされた方に対応する読取モードで読取部を動作させる。即ち、原稿トレイと原稿台のうち、原稿シートが後にセットされた方に対応する原稿シートの読み取りに関する機能を示す表示を優先して表示部に表示させる。このため、ユーザの意図を表示部の表示に反映させ易くすることができる。
【００１８】
前記表示部の表示内容を選択する選択部を備え、前記制御部は、前記原稿トレイに原稿シートが保持され、かつ、前記原稿台に原稿シートが載置された場合、前記搬送読取表示と前記移動読取表示のうち、いずれか一方を前記選択部により選択させるための選択表示を前記表示部に表示させ、前記決定処理では、前記選択表示において前記いずれか一方が前記選択部により選択された場合、その選択結果に基づいて、前記搬送読取モード及び前記移動読取モードのいずれで前記読取部を動作させるかを決定してもよい。
【００１９】
上記の読取装置は、原稿トレイと原稿台の両方に原稿シートがセットされた場合、移動読取表示と搬送読取表示のいずれかの一方の表示を選択するための選択表示を表示部に表示させ、その選択結果に基づいて、読取部を搬送読取モードと静止読取モードのいずれで動作させるか決定する。即ち、選択表示における選択結果に基づいて、移動優先表示と搬送優先表示のいずれか一方を表示部に表示させる。このため、ユーザの意図を正確に反映させながら、原稿シートの読み取りに関して指示可能な機能を示す表示を優先して表示部に表示させることができ、ユーザの利便性を向上させることができる。
【００２０】
前記制御部は、前記表示部に表示されている表示を、前記搬送優先表示及び前記移動優先表示のいずれもさせずに該表示部に表示させ、前記移動読取表示のみに含まれる表示について選択された場合、前記決定処理において、前記移動読取モードで動作させると決定し、前記搬送読取表示のみに含まれる表示にういてについて選択された場合、前記決定処理において、前記搬送読取モードで動作させると決定してもよい。
【００２１】
上記の読取装置は、表示部に表示されている表示を搬送優先表示及び移動優先表示のいずれもさせずに表示部に表示させる。そして、移動読取表示のみに含まれる表示についてユーザから選択された場合、決定処理において、移動読取モードで動作させると決定し、搬送読取表示のみに含まれる表示にういてについてユーザから選択された場合、決定処理において、搬送読取モードで動作させると決定する。このため、ユーザの意図を正確に反映させながら、原稿シートの読み取りに関して指示可能な機能を示す表示を優先して表示部に表示させることができ、ユーザの利便性を向上させることができる。
【００２２】
前記表示部の表示内容を選択する選択部を備え、前記制御部は、前記移動読取表示の前記視認性が前記搬送読取表示の前記視認性より低いときに、前記移動読取表示が前記選択部により選択された場合、前記移動読取表示の前記視認性を前記搬送読取表示の前記視認性よりも高くし、前記搬送読取表示の前記視認性が前記移動読取表示の前記視認性より低いときに、前記搬送読取表示が前記選択部により選択された場合、前記搬送読取表示の前記視認性を前記移動読取表示の前記視認性よりも高くしてもよい。
【００２３】
上記の読取装置は、移動読取表示と搬送読取表示のいずれか一方の視認性が低い表示で表示部に表示されている場合、その後のユーザの選択結果に応じて、移動読取表示と搬送読取表示のうち、視認性が低い表示で表示されている一方の表示の視認性が他方の表示の視認性よりも高くされる。このため、ユーザの意図を正確に反映させながら、原稿の読み取りに関して指示可能な機能を示す表示を優先して表示部に表示させることができ、ユーザの利便性を向上させることができる。
【００２４】
前記搬送優先表示は、前記搬送読取表示を前記移動読取表示よりも強調して前記表示部に表示させることであり、前記移動優先表示は、前記移動読取表示を前記搬送読取表示よりも強調して前記表示部に表示させることであってもよい。
【００２５】
この読取装置は、原稿トレイと原稿台のうち、原稿シートがセットされた方と対応する原稿シートの読み取りに関する機能を示す表示が強調されて表示部に表示される。このため、原稿シートの読み取りに関して指示可能な機能を示す表示をユーザが容易に認識することができる。
【００２６】
前記制御部は、前記原稿トレイに原稿シートが保持され、かつ、前記原稿台に原稿シートが載置された場合、前記原稿トレイにおける原稿シートの保持と前記原稿台における原稿シートの載置とのいずれが先かを判断する先行判断処理を実行し、前記先行判断処理において、前記原稿台における原稿シートの載置が前記原稿トレイにおける原稿シートの保持より先であると判断した場合、前記搬送読取表示を前記移動読取表示よりも強調して表示させ前記移動読取表示を前記搬送読取表示よりも強調して表示させず、前記先行判断処理において、前記原稿トレイにおける原稿シートの保持が前記原稿台における原稿シートの載置より先であると判断した場合、前記移動読取表示を前記搬送読取表示よりも強調して表示させ表示させ、前記搬送読取表示を前記移動読取表示よりも強調して表示させてもよい。
【００２７】
上記の読取装置は、原稿トレイと原稿台の両方に原稿シートがセットされた場合、搬送読取表示と移動読取表示のうち、原稿シートが後にセットされた方と対応する原稿シートの読み取りに関する機能を示す表示が他方の表示よりも強調されて表示部に表示される。このため、ユーザの意図を表示部の表示に反映させ易くすることができる。
【００２８】
前記制御部は、前記搬送読取表示と前記移動読取表示の両方を含む表示を複数のページに亘って前記表示部に表示させるとき、前記搬送優先表示は、前記表示部において前記搬送読取表示を先頭のページに表示させることであり、前記移動優先表示は、前記表示部において前記移動読取表示を先頭のページに表示させることであってもよい。
【００２９】
上記の読取装置では、搬送読取表示と移動読取表示の両方が表示部に複数のページに亘って表示されるとき、搬送読取表示と移動読取表示のうち、表示部において優先して表示される表示が先頭のページで表示される。このように、原稿シートの読み取りに関する指示可能な機能を示す表示が表示部において先頭のページに表示されることで、原稿シートの読み取りに関する機能をユーザが容易に選択することができる。
【００３０】
なお、本明細書によって開示される発明は、読取装置、読取方法、これらの方法または装置の機能を実現するためのコンピュータプログラム、そのコンピュータプログラムを記録した記録媒体等の種々の態様で実現することができる。
【発明の効果】
【００３１】
本明細書によって開示される発明によれば、原稿シートの読み取りに関する機能をユーザが容易に選択することができる。
【図面の簡単な説明】
【００３２】
【図１】実施形態１の読取装置において、原稿搬送ユニットが開いた状態を示す外観斜視図
【図２】読取装置の概略的な断面図
【図３】読取装置の電気的構成を概略的に示す説明図
【図４】実施形態１における表示部の状態遷移図
【図５】実施形態１の表示切替処理を示すフローチャート
【図６】読取選択表示処理を示すフローチャート
【図７】実施形態２の読取選択表示処理を示すフローチャート
【図８】実施形態３の読取選択表示処理を示すフローチャート
【図９】先行判断処理を示すフローチャート
【図１０】実施形態４における表示部の状態遷移図
【図１１】実施形態４の切替表示処理を示すフローチャート
【図１２】ＡＤＦ表示移動処理を示すフローチャート
【図１３】ＦＢ表示移動処理を示すフローチャート
【発明を実施するための形態】
【００３３】
（読取装置の外観構成）
図面を参照して実施形態を説明する。実施形態では、読取装置の一例である複合機１を例示する。この複合機１は、プリンタ機能、スキャナ機能、コピー機能、ファクシミリ機能などを備えた多機能周辺装置である。
【００３４】
図１に示すように、複合機１は、本体ユニット２と、読取ユニット３と、原稿搬送ユニット４がこの順に上側に搭載されて構成されている。原稿搬送ユニット４は、原稿台カバーの一例である。
【００３５】
また、複合機１には、ユーザからの操作指示等を受け付けるタッチパネル、スタートキー及びクリアキー等から構成される操作部７と、ＬＥＤや液晶ディスプレイからなり、複合機１の状況を表示する表示部９等が設けられている。表示部９の上面には、タッチパネルが設けられており、ユーザが表示部９に表示された表示に触れることでユーザからの操作指示を受け付けることができる。表示部９が有するタッチパネル方式の画面は、選択部の一例である。
【００３６】
読取ユニット３は、本体ユニット２の上面全面を覆っており、本体ユニット２の後端に配置された軸線を中心として、本体ユニット２に対し回動可能に構成されている。読取ユニット３は、第１読取部（図２参照）２１を備える他、図１及び図２に示すように、その上面に透明なガラス板からなる第１プラテンガラス１５及び第２プラテンガラス１６等を備える。第１プラテンガラス１５は、原稿台の一例である。
【００３７】
原稿搬送ユニット４は、読取ユニット３の上面全面を覆っており、読取ユニット３の後端に配置された軸線を中心として、読取ユニット３に対し回動可能に構成されている。原稿搬送ユニット４は、この回転に伴って、読取ユニット３に対して閉じられた閉状態と、読取ユニット３に対して開かれた開状態（図１参照）の間で変位する。
【００３８】
図２に示す断面図では、境界線ＢＬを境界として原稿搬送ユニット４が上方に回動して開状態に変位する。原稿搬送ユニット４が開状態とされることで読取ユニット３の上面に設けられた第１プラテンガラス１６が露出し、第１プラテンガラス１６上に原稿シートを載置することができる。そして、原稿搬送ユニット４が閉状態とされることで、第１プラテンガラス１６は原稿搬送ユニット４によって覆われる。
【００３９】
原稿搬送ユニット４は、搬送経路３０に沿って原稿を搬送する搬送部３８を備える他、カバー部材５、及び上面カバー１１等を備える。本実施形態において、原稿とは、シート状の原稿である原稿シートである。上面カバー１１を開状態へ変位させると、原稿が支持される供給台１２が開放される。上面カバー１１を開状態へ変位させることで、上面カバー１１が閉状態にあるときには下方に向けられていた上面カバー１１の裏面と、供給台１２と、によって原稿が支持される供給トレイ１４が構成される。供給トレイ１４は原稿トレイの一例である。
【００４０】
図３に示すように、原稿搬送ユニット４は、供給トレイ１４に保持された原稿の有無を検知して信号を出力するための、フォトセンサ等のフロントセンサ１８を含んでいる。フロントセンサ１８は、供給トレイ１４に保持された原稿を検知すると、オン状態とされる。このフロントセンサ１８は、トレイセンサの一例である。
【００４１】
また、原稿搬送ユニット４は、搬送経路３０内における原稿の有無を検知して信号を出力するための、フォトセンサ等のリアセンサ１９を含んでいる。リアセンサ１９は、搬送経路３０内で原稿を検知すると、オン状態とされる。
【００４２】
原稿搬送ユニット４は、さらに、第２読取部２２、透明なガラス板からなる第３プラテンガラス１７、及び吸入ローラ３１、供給ローラ３２、第１搬送ローラ３３、第２搬送ローラ３４等の各種ローラを含んでいる。これら各種ローラによって、供給トレイ１４に保持された原稿を搬送経路３０に沿って搬送する搬送部３８が形成されている。
【００４３】
原稿搬送ユニット４には、各種ローラによって原稿が供給トレイ１４から搬送させる経路である搬送経路３０が設けられており、搬送経路３０に隣接して第１読取部２１及び第２読取部２２が配置されている。第１読取部２１及び第２読取部２２は、読取部の一例である。
【００４４】
第１読取部２１は、読取ユニット３内に配置されており、主走査方向、つまり、前後方向に広がって形成されている。また、第１読取部２１は、第１プラテンガラス１５の下側を主走査方向と直交する副走査方向、つまり左右方向に移動可能に支持されている。第１読取部２１は、副走査方向に移動しながら第１プラテンガラス１５上に静止して載置された原稿を読み取る。また、第１読取部２１は、図３に示す第２プラテンガラス１６下の読取位置Ｌ１に静止し、搬送経路３０を搬送される原稿が第２プラテンガラス上を通過する際に当該原稿を読み取る。
【００４５】
第２読取部２２は、原稿搬送ユニット４内の読取位置Ｌ２に支持されている。第２読取部２２は、搬送経路３０を搬送される原稿が第３プラテンガラス１７上を通過する際に当該原稿を読み取る。
【００４６】
以上のように、複合機１は、読取モードとして、第１読取部２１を移動させることで、第１プラテンガラス１５上に載置された原稿の画像を読み取るＦＢ読取と、搬送部３８によって搬送される原稿の画像を第１読取部２１と第２読取部２２で読み取るＡＤＦ読取と、を有する。なお、ＦＢ読取は移動読取モードの一例であり、ＡＤＦ読取は、搬送読取モードの一例である。
【００４７】
（複合機の電気的構成）
複合機１は、図３に示すように、制御部５０、デバイス制御部５６、第１ＡＦＥ（アナログフロントエンド）５８、第２ＡＦＥ６０、駆動回路６２を備え、これらにバス７０を介して、表示制御部６４、表示部９、操作部７、リアセンサ１９、フロントセンサ１８、カバーセンサ６６が接続されている。
【００４８】
制御部５０は、ＣＰＵ５１、ＲＯＭ５２、ＲＡＭ５４、ＡＳＩＣ５５を備えて構成されている。ＣＰＵ５１は、ＲＯＭ５２やＲＡＭ５４に記憶されている各種プログラムを実行することによって複合機１の各部を制御する。ＲＯＭ５２には、複合機１の動作を制御するための各種プログラムが記憶されている。ＲＡＭ５４は、制御部５０が各種の処理を実行するための記憶装置として用いられる。ＲＡＭ５４は記憶部の一例である。
【００４９】
また、制御部５０は、ＦＢ読取に関する設定情報と、ＡＤＦ読取に関する設定情報と、選択表示における選択結果に関する設定情報と、をそれぞれＲＡＭ５４に記憶させる。ＦＢ読取に関する設定情報は、原稿が第１プラテンガラス１５上に載置されているか否かを示すＦＢ読取フラグであり、ＡＤＦ読取に関する設定情報は、原稿が供給トレイ１４に保持されているか否かを示すＡＤＦ読取フラグである。また、選択表示における選択結果に関する設定情報は、後述する選択表示においてＡＤＦ読取とＦＢ読取について選択が有ったか否かを示す設定情報である。
【００５０】
デバイス制御部５６は、第１読取部２１及び第２読取部２２に接続されており、制御部５０からの命令に基づいて読取制御信号を各読取部２１、２２に送信する。各読取部２１、２２は、デバイス制御部５６からの読取制御信号に基づいて原稿の表面又は裏面を読み取る。
【００５１】
第１ＡＦＥ５８及び第２ＡＦＥ６０は、それぞれ第１読取部２１及び第２読取部２２に接続されており、第１読取部２１又は第２読取部２２から出力されるアナログ信号の読取データをデジタル信号の読取データに変換する。第１ＡＦＥ５８及び第２ＡＦＥ６０は、それぞれ変換したデジタル信号の読取データを、バス７０を介してＲＡＭ５４に記憶する。駆動回路６２は、モータＭに接続され、制御部５０から入力されるパルス信号に基づいてモータＭを回転駆動する。
【００５２】
表示制御部６４は、表示部９に接続され、制御部５０からの命令に基づいて表示制御信号を表示部９に送信する。また、表示制御部６４は、表示部９で受け付けたユーザからの操作指示に関する信号を受信し、制御部５０に送信する。
【００５３】
カバーセンサ６６は、原稿搬送ユニット４の開閉状態を検知して信号を出力する。カバーセンサ６６は、原稿搬送ユニット４の開状態を検知すると、オン状態とされる。読取装置１では、原稿が第１プラテンガラス１５上に載置される場合、原稿搬送ユニット４が開状態とされることでカバーセンサ６６がオン状態とされた後、原稿搬送ユニット４が開状態とされることでカバーセンサ６６がオフ状態とされる。
【００５４】
（表示切替処理）
次に、フローチャートを参照して、複合機１における表示切替処理に関する各実施形態を説明する。ここで、実施形態における表示切替処理は、複合機１の電源がオンされてから、ＲＯＭ５２に格納されたプログラムに従って制御部５０が実行する処理である。具体的には、表示切替処理は、第１プラテンガラス１５上及び供給トレイ１４における原稿の有無に応じて、制御部５０が、表示部９に表示させる表示を切り替える処理である。
【００５５】
（実施形態１）
先に実施形態１における表示部９の表示態様について図４を参照して説明する。表示部９には、制御部５０からの命令に基づいて、ＦＢ読取に関するＡｕｔｏＣｒｏｐ機能、ブックスキャン機能等の複数の機能を示す複数の表示（以下、ＦＢ読取表示と称する）と、ＡＤＦ読取に関する両面読取機能、白紙除去機能等の複数の機能を示す表示（以下、ＡＤＦ読取表示と称する）と、がそれぞれ表示される。ＦＢ読取表示は、移動読取表示の一例であり、ＡＤＦ読取表示は、搬送読取表示の一例である。
【００５６】
なお、ＡｕｔｏＣｒｏｐ機能とは、例えば、読取データから原稿に対応する領域にある読取データを抽出する機能である。また、ブックスキャン機能とは、例えば、ブックを読み取った際にスキャンデータに表れる黒部分の濃度を低くする機能である。また、白紙除去機能とは、例えば、読取データにある画素数が所定の画素数以下の場合に、原稿には画像がないと判断して読取データを破棄する機能である。
【００５７】
図４の符号Ｄ１に示す表示は、複合機１の電源がオンされ、読取モードが選択されたときに表示部９に表示される表示を示している。以下、符号Ｄ１で示す表示を第１の初期表示と称する。
【００５８】
また、第１の初期表示Ｄ１では、ＡＤＦ読取表示とＦＢ読取表示の両方を含む表示が全て表示される。そして、ユーザがタッチパネル上で各機能の表示を押下すれば、表示制御部６４を介して、制御部５０が該表示に応じた機能を実行するように指示を行うことができる。
【００５９】
次に、実施形態１の表示切替処理について説明する。ユーザによって複合機１の電源がオンされると、図５に示すように、制御部５０は、まずカバーセンサ６６がオンされたか否かを判断する（Ｓ２）。
【００６０】
原稿搬送ユニット４が開閉されて第１プラテンガラス１５上に原稿が載置されていれば、カバーセンサ６６が一旦オンされているので、制御部５０は、カバーセンサ６６がオンされたか否かを判断することで、第１プラテンガラス１５上に原稿が載置された状態であるか否かを検知することができる。なお、以下では、第１プラテンガラス１５上に原稿が載置された状態であることを、ＦＢ側に原稿がセットされていると称する。
【００６１】
制御部５０は、Ｓ２において、カバーセンサ６６がオンされたと判断した場合（Ｓ２：ＹＥＳ）、Ｓ４に移行する。一方、制御部５０は、Ｓ２において、カバーセンサ６６がオンされていないと判断した場合（Ｓ２：ＮＯ）、Ｓ６に移行する。
【００６２】
Ｓ４では、制御部５０は、フロントセンサ１８がオンしているか否かを判断する。これにより、制御部５０は、供給トレイ１４に原稿が保持された状態であるか否かを判断することができる。なお、以下では、供給トレイ１４に原稿が保持された状態であることを、ＡＤＦ側に原稿がセットされていると称する。
【００６３】
制御部５０は、Ｓ４でフロントセンサ１８がオンしていると判断した場合（Ｓ４：ＹＥＳ）、ＦＢ側とＡＤＦ側の両方に原稿がセットされているので、後述する読取選択表示処理を実行する。一方、制御部５０は、Ｓ４でフロントセンサ１８がオンしていないと判断した場合（Ｓ４：ＮＯ）、ＦＢ側にのみ原稿がセットされているので、Ｓ１４に移行する。
【００６４】
Ｓ６では、制御部５０は、フロントセンサ１８がオンしているか否かを判断する。制御部５０は、Ｓ６でフロントセンサ１８がオンしていると判断した場合（Ｓ６：ＹＥＳ）、ＡＤＦ側にのみ原稿がセットされているので、Ｓ１２に移行する。一方、制御部５０は、Ｓ６でフロントセンサ１８がオンしていないと判断した場合（Ｓ６：ＮＯ）、ＦＢ側とＡＤＦ側のいずれにも原稿がセットされていないので、Ｓ１０に移行する。なお、制御部５０がＳ４及びＳ６で実行する処理は、トレイ側判断処理の一例である。
【００６５】
Ｓ１０では、制御部５０は、ＦＢ読取表示及びＡＤＦ読取表示を、図７の符号Ｄ１に示すような通常の表示態様で表示部９に表示させ、Ｓ３２に移行する。Ｓ３２では、制御部５０は、ＦＢ読取フラグを「オフ」と設定し、ＡＤＦ読取フラグを「オフ」と設定してそれぞれＲＡＭ５４に記憶させ、Ｓ４０に移行する。
【００６６】
Ｓ１２では、制御部５０は、図７の符号Ｄ３に示すような表示、即ち、表示部９にＡＤＦ読取表示をユーザからの指示を受け付け可として表示させ、ＦＢ読取表示をユーザからの指示を受け付け不可として表示させるグレーアウトをさせ、Ｓ３４に移行する。なお、グレーアウトの際は、例えば、表示部９の背景色と類似する色をＦＢ読取表示に使用したり、黒色に類似する色をＦＢ読取表示に使用したりすることにより、ＦＢ読取表示の視認性を落とすことで、ユーザからの指示を受け付け不可であることを視認しやすくするとよい。なお、グレーアウトされたＡＤＦ読取表示は、グレーアウトされたＦＢ読取表示と同様に、以下、グレーアウト表示とも称し、視認性が低い表示の一例である。
【００６７】
Ｓ３４では、制御部５０は、ＦＢ読取フラグを「オフ」と設定し、ＡＤＦ読取フラグを「オン」と設定してそれぞれＲＡＭ５４に記憶させ、Ｓ４０に移行する。
【００６８】
Ｓ１４では、制御部５０は、具体的には、制御部５０は、図４の符号Ｄ２に示すような表示、即ち、表示部９にＦＢ読取表示をユーザからの指示を受け付け可として表示させ、ＡＤＦ読取表示をユーザからの指示を受け付け不可として表示させるグレーアウトをさせ、Ｓ３６に移行する。従って、Ｓ１４では、表示部９に表示される表示が図４の符号Ｄ１に示す表示から符号Ｄ２に示す表示に変更される。
【００６９】
Ｓ３６では、制御部５０は、ＦＢ読取フラグを「オン」と設定し、ＡＤＦ読取フラグを「オフ」と設定してそれぞれＲＡＭ５４に記憶させ、Ｓ４０に移行する。
【００７０】
なお、制御部５０がＳ３２、Ｓ３４、Ｓ３６において、ＦＢ読取フラグについて「オン」または「オフ」と設定してＲＡＭ５４に記憶させる処理は、原稿台側記憶処理の一例であり、ＡＤＦ読取フラグについて「オン」または「オフ」と設定してＲＡＭ５４に記憶させる処理は、トレイ側記憶処理の一例である。
【００７１】
制御部５０は、Ｓ２０で実行する後述する読取選択表示処理が終了すると、原稿の取り忘れに注意する旨の表示、例えば「原稿の取り忘れ有」の表示を表示部９に表示させ（Ｓ３０）、Ｓ３８に移行する。
【００７２】
ここで、ＦＢ側とＡＤＦ側の両方に原稿がセットされている場合、ユーザがＦＢ側とＡＤＦ側のいずれか一方から原稿を取り忘れている可能性が高い。そこで、上記のように「原稿の取り忘れ有」等の表示を表示部９に表示させることで、ユーザの利便性に資することができる。
【００７３】
Ｓ３８では、制御部５０は、後述する読取選択表示処理によりＲＡＭ５４が「ＦＢ読取の選択有」を記憶しているか、「ＡＤＦ読取の選択有」を記憶しているかを判断する。制御部５０は、ＲＡＭ５４が「ＦＢ読取の選択有」を記憶していると判断した場合（Ｓ３８：ＹＥＳ）、Ｓ１４に移行する。これにより、表示部９に表示される表示が図４の符号Ｄ４に示す表示から符号Ｄ５に示す表示に変更される。一方、制御部５０は、ＲＡＭ５４が「ＡＤＦ読取の選択有」を記憶していると判断した場合（Ｓ３８：ＮＯ）、Ｓ１２に移行する。これにより、表示部９に表示される表示が図４の符号Ｄ４に示す表示から符号Ｄ６に示す表示に変更される。
【００７４】
Ｓ４０以降の処理について説明する。Ｓ４０では、制御部５０は、カバーセンサ６６からの検知信号又はフロントセンサ１８からの検知信号に変更があったか否かを判断する。具体的には、カバーセンサ６６については、制御部５０は、Ｓ３２、Ｓ３４、Ｓ３６でＦＢ読取フラグ及びＡＤＦ読取フラグを設定してからカバーセンサ６６がオンされた場合に、ＦＢ側の原稿のセット状態に変更があったと判断する。ＦＢ側にセットされていた原稿が取り除かれた場合及びＦＢ側に原稿がセットされた場合、カバーセンサ６６が一旦オンされるため、制御部５０は、カバーセンサ６６がオンされたか否かを判断することで、ＦＢ側の原稿のセット状態に変更があったか否かを判断することができる。
【００７５】
一方、フロントセンサ１８については、具体的には、制御部５０は、Ｓ３２、Ｓ３４、Ｓ３６でＦＢ読取フラグ及びＡＤＦ読取フラグを設定してからフロントセンサ１８の検知信号に変更があったか否か、即ちオンしていた信号がオフに変更した場合又はオフしていた信号がオンに変更した場合に、ＡＤＦ側の原稿のセット状態に変更があったと判断する。ＡＤＦ側にセットされていた原稿が取り除かれた場合及びＡＤＦ側に原稿がセットされた場合、フロントセンサ１８の検知信号が変更されるため、制御部５０は、フロントセンサ１８の検知信号に変更があったか否かを判断することで、ＡＤＦ側の原稿のセット状態に変更があったか否かを判断することができる。
【００７６】
制御部５０は、Ｓ４０でカバーセンサ６６からの検知信号又はフロントセンサ１８からの検知信号に変更があったと判断した場合（Ｓ４０：ＹＥＳ）、Ｓ２に戻る。制御部５０は、Ｓ４０でカバーセンサ６６からの検知信号又はフロントセンサ１８からの検知信号に変更がなかったと判断した場合（Ｓ４０：ＮＯ）、Ｓ４２に移行する。
【００７７】
Ｓ４２では、制御部５０は、読取開始の指示があったが否かを判断する。具体的には、Ｓ４２では、制御部５０は、ユーザが表示部９において読取開始の表示を選択することによって、読取開始を指示する信号を受け付けたか否かを判断する。
【００７８】
制御部５０は、Ｓ４２で読取開始の指示があったと判断した場合（Ｓ４２：ＹＥＳ）、Ｓ４４に移行する。一方、制御部５０は、Ｓ４２で読取開始の指示がなかったと判断した場合（Ｓ４２：ＮＯ）、Ｓ４０に戻る。
【００７９】
Ｓ４４では、制御部５０は、ＡＤＦ読取に関する設定情報をＲＡＭ５４から読み出し、ＡＤＦ読取フラグが「オン」と設定されているか否かを判断する。制御部５０は、ＲＡＭ５４から読み出したＡＤＦ読取フラグが「オン」と設定されていると判断する場合（Ｓ４４：ＹＥＳ）、Ｓ４６に移行する。
【００８０】
一方、制御部５０は、ＲＡＭ５４から読み出したＡＤＦ読取フラグが「オフ」と設定されていると判断する場合（Ｓ４４：ＮＯ）、Ｓ４８に移行する。Ｓ４４で制御部５０が第１読取部２１及び第２読取部２２をＡＤＦ読取とＦＢ読取のいずれで動作させるかを決定する処理は、決定処理の一例である。
【００８１】
Ｓ４６では、制御部５０は、ＡＤＦ読取を実行し、表示切替処理を終了する。Ｓ４８では、制御部５０は、ＦＢ読取を実行し、表示切替処理を終了する。
【００８２】
（読取選択表示処理）
次に、制御部５０がＳ２０で実行する読取選択表示処理について図６を参照して説明する。読取選択表示処理では、制御部５０は、まず図４のＤ４で示すような、ユーザにＦＢ読取とＡＤＦ読取のうち、いずれか一方を選択させる選択表示を表示部９に表示させ（Ｓ２２）、Ｓ２４に移行する。
【００８３】
Ｓ２４では、制御部５０は、選択表示Ｄ４において、ユーザによってＦＢ読取及びＡＤＦ読取のうちいずれか一方が選択され、制御部５０が選択された信号を受け付けたか否か、即ち選択表示Ｄ４において選択が有ったか否かを判断する。制御部５０は、選択された信号を受け付けていないと判断した場合（Ｓ２４：ＮＯ）、選択表示Ｄ４において選択が有るまでＳ２４の処理を繰り返し実行する。制御部５０は、選択された信号を受け付けたと判断した場合（Ｓ２４：ＹＥＳ）、Ｓ２６に移行する。
【００８４】
Ｓ２６では、制御部５０は、ＦＢ読取を選択する信号を受け付けたか否か、即ち選択表示Ｄ４においてＦＢ読取が選択されたか否かを判断する。制御部５０は、Ｓ２６でＦＢ読取を選択する信号を受け付けたと判断した場合（Ｓ２６：ＹＥＳ）、選択表示における選択結果に関する設定情報について、「ＦＢ読取の選択有」と設定してＲＡＭ５４に記憶させ（Ｓ２７）、読取選択表示処理を終了する。
【００８５】
一方、制御部５０は、Ｓ２６でＦＢ読取を選択する信号を受け付けなかったと判断した場合（Ｓ２６：ＮＯ）、即ちＡＤＦ読取を選択する信号を受け付けた場合、選択表示における選択結果に関する設定情報について、「ＡＤＦ読取の選択有」と設定してＲＡＭ５４に記憶させ（Ｓ２８）、読取選択表示処理を終了する。
【００８６】
（実施形態１の効果）
実施形態１の表示切替処理における効果について説明する。本実施形態の複合機１では、制御部５０は、ＦＢ側とＡＤＦ側のいずれかに原稿がセットされたと判断した場合、ＦＢ側とＡＤＦ側のうち原稿がセットされた側に基づいて第１読取部２１と第２読取部２２とをＡＤＦ読取とＦＢ読取のいずれで動作させるか決定する。そして、その決定に応じて、ＡＤＦ読取表示とＦＢ読取表示のいずれか一方を他方に優先して表示部９に表示させる。具体的には、制御部５０は、ＦＢ読取表示をグレーアウトすることでＡＤＦ読取表示をＦＢ読取表示よりも優先して表示部９に表示させ、又は、ＡＤＦ読取表示をグレーアウトすることでＦＢ読取表示をＡＤＦ読取表示よりも優先して表示部９に表示させる。
【００８７】
このため、ユーザは、ＦＢ読取に関する機能とＡＤＦ読取に関する機能のうち、優先して表示された表示、即ちグレーアウトされていない表示を指示することが可能で、優先して表示されていない表示、即ちグレーアウトされた表示を指示することが不可能であることを知ることができる。その結果、ＦＢ読取に関する機能とＡＤＦ読取に関する機能をユーザが容易に選択することができる。なお、本明細書において、優先して表示させるとは、ユーザが選択容易な表示で表示部９に表示させることをいう。
【００８８】
また、本実施形態の複合機１では、制御部５０は、ＡＤＦ読取表示とＦＢ読取表示のうち一方を、ユーザからの指示を受け付け不可とするグレーアウトされた表示で表示部９に表示させる。このため、受け付け不可とされた表示をユーザが容易に知ることができ、受け付け不可とされた表示をユーザが誤って選択することを防止することができる。
【００８９】
また、本実施形態の複合機１では、制御部５０は、ＦＢ側とＡＤＦ側の両方に原稿がセットされたと判断した場合、ＦＢ読取表示及びＡＤＦ読取表示をいずれかを優先させる表示とは異なる方法で表示部９に表示させる。具体的には、本実施形態では、制御部５０は、表示部９に選択表示Ｄ４（図４参照）を表示させる。さらに、制御部５０は、読取選択表示処理の終了後に、表示部９に原稿の取り忘れに注意する旨の表示を表示させる。このため、ユーザは、ＦＢ側とＡＤＦ側の原稿のセット状態に何らかの変更があったことを認識することができる。
【００９０】
また、本実施形態の複合機１では、制御部５０は、ＦＢ側とＡＤＦ側の両方に原稿がセットされたと判断した場合、ＦＢ読取表示とＡＤＦ読取表示のいずれかの一方の表示を選択させるための選択表示Ｄ４を表示部９に表示させ、その選択結果に基づいて、第１読取部２１及び第２読取部２２をＡＤＦ読取とＦＢ読取のいずれで動作させるか決定する。即ち、制御部５０は、ＲＡＭ５４が「ＦＢ読取の選択有」と「ＡＤＦ読取の選択有」のいずれを記憶しているのかに応じて、ＦＢ読取表示とＡＤＦ読取表示のいずれか一方を他方より優先して表示部９に表示させる。このため、ユーザの意図を正確に反映させながら、原稿の読み取りに関して指示可能な機能を示す表示を優先して表示部９に表示させることができ、ユーザの利便性を向上させることができる。
【００９１】
また、本実施形態の複合機１では、制御部５０は、ＦＢ側に原稿がセットされたか否かをカバーセンサ６６によって検知することで判断し、ＡＤＦ側に原稿がセットされたか否かをフロントセンサ１８によって検知することで判断する。このため、ＦＢ側とＡＤＦ側のいずれに原稿がセットされたのかを精度よく判断することができ、ユーザの意図を表示部９の表示に反映させ易くすることができる。
【００９２】
（実施形態１の変形例）
実施形態１の変形例について説明する。本変形例では、制御部５０は、Ｓ１２の処理からＳ４２の処理に移行するまでの間に、グレーアウトされているＦＢ読取表示がユーザによって選択された場合、ＦＢ読取表示のグレーアウトを解除し、ＡＤＦ読取表示をグレーアウトする処理を実行する。
【００９３】
また、制御部５０は、Ｓ１４の処理からＳ４２の処理に移行するまでの間に、グレーアウトされているＡＤＦ読取表示がユーザによって選択された場合、ＡＤＦ読取表示のグレーアウトを解除し、ＦＢ読取表示をグレーアウトする処理を実行する。
【００９４】
本変形例では、このようにＦＢ読取表示とＡＤＦ読取表示のいずれか一方がグレーアウトされている場合、その後のユーザの選択結果に応じて、ＦＢ読取表示とＡＤＦ読取表示のうち、グレーアウトされている一方の表示の視認性が他方の表示の視認性よりも高くされる。このため、ユーザの意図を正確に反映させながら、原稿の読み取りに関して指示可能な機能を示す表示を優先して表示部に表示させることができ、ユーザの利便性を向上させることができる。
【００９５】
（実施形態２）
次に、実施形態２の表示切替処理について説明する。実施形態２の表示切替処理は、読取選択表示処理が実施形態１と異なっており、読取選択表示処理を除いた処理については、実施形態１と同様である。そのため、表示切替処理における読取選択表示処理についてのみ説明し、他の処理については説明を省略する。
【００９６】
（読取選択表示処理）
実施形態２の読取選択表示処理について図７を参照して説明する。実施形態２の読取選択表示処理では、制御部５０は、まず表示部９に表示されたＦＢ読取表示とＡＤＦ読取表示のいずれか一方がグレーアウトされているか否かを、ＦＢ読取フラグ及びＡＤＦ読取フラグに基づき判断する（Ｓ１２２）。
【００９７】
制御部５０は、Ｓ１２２でＦＢ読取フラグ及びＡＤＦ読取フラグのいずれか一方が「オン」の場合（Ｓ１２２：ＹＥＳ）、即ちグレーアウトされていると判断した場合、グレーアウトを解除し（Ｓ１２３）、Ｓ１２４に移行する。一方、制御部５０は、Ｓ１２２でグレーアウトしていないと判断した場合（Ｓ１２２：ＮＯ）、即ちＦＢ読取フラグ及びＡＤＦ読取フラグがいずれも「オフ」の場合、Ｓ１２４に移行する。
【００９８】
Ｓ１２４では、制御部５０は、操作部７からＦＢ読取表示及びＡＤＦ読取表示のいずれかを選択する信号を受け付けたか否か、即ち表示部９においていずれの機能が選択されたか判断する。制御部５０は、Ｓ１２４でＦＢ読取表示及びＡＤＦ読取表示のいずれかを選択する信号も受け付けていないと判断した場合（Ｓ１２４：ＮＯ）、Ｓ１２４の処理を繰り返し実行する。制御部５０は、Ｓ１２４でＦＢ読取表示及びＡＤＦ読取表示のいずれかを選択する信号を受け付けたと判断した場合（Ｓ１２４：ＹＥＳ）、Ｓ１２５に移行する。
【００９９】
Ｓ１２５では、制御部５０は、Ｓ１２４で選択された表示がＦＢ読取表示のみに含まれる表示（以下、ＦＢ読取のみ機能表示と称する）を選択する信号を受け付けたか否かを判断する。制御部５０は、Ｓ１２５でＦＢ読取のみ機能表示を選択する信号を受け付けたと判断した場合（Ｓ１２５：ＹＥＳ）、選択表示における選択結果に関する設定情報について、「ＦＢ読取の選択有」と設定してＲＡＭ５４に記憶させ（Ｓ１２７）、読取選択表示処理を終了する。
【０１００】
一方、制御部５０は、Ｓ１２５でＦＢ読取のみ機能表示を選択する信号を受け付けてないと判断した場合（Ｓ１２５：ＮＯ）、Ｓ１２４でＡＤＦ読取表示のみに含まれる表示（以下、ＡＤＦ読取のみ機能表示と称する）を選択する信号を受け付けたか否かを判断する（Ｓ１２６）。
【０１０１】
制御部５０は、Ｓ１２６でＡＤＦ読取のみ機能表示を選択する信号を受け付けたと判断した場合（Ｓ１２６：ＹＥＳ）、選択表示における選択結果に関する設定情報について、「ＡＤＦ読取の選択有」と設定してＲＡＭ５４に記憶させ（Ｓ１２８）、読取選択表示処理を終了する。一方、制御部５０は、Ｓ１２６でＡＤＦ読取のみ機能表示を選択する信号を受け付けてないと判断した場合（Ｓ１２６：ＮＯ）、Ｓ１２４に戻る。
【０１０２】
（実施形態２の効果）
実施形態２の表示切替処理における効果について説明する。本実施形態の複合機１では、制御部５０は、ＦＢ側とＡＤＦ側の両方に原稿がセットされた場合、ＦＢ読取表示とＡＤＦ読取表示のいずれか一方がグレーアウトされていればそのグレーアウトを解除し、通常の表示態様で表示部９に表示させる。その後、制御部５０は、ＦＢ読取表示及びＡＤＦ読取表示のいずれかを選択する信号を受け付けたと判断した場合、その選択結果に応じて、ＡＤＦ読取表示とＦＢ読取表示のいずれか一方を他方に優先して表示部９に表示させる。このため、ユーザの意図を正確に反映させながら、原稿の読み取りに関して指示可能な機能を示す表示を優先して表示部９に表示させることができ、ユーザの利便性を向上させることができる。
【０１０３】
（実施形態３）
次に、実施形態３の表示切替処理について説明する。実施形態３の表示切替処理は、読取選択表示処理が実施形態１と異なっており、読取選択表示処理を除いた処理については、実施形態１と同様である。そのため、表示切替処理における読取選択表示処理についてのみ説明し、他の処理については説明を省略する。なお、ＲＡＭ５４には、原稿がＦＢ側に先にセットされたことを示すＦＢ先行フラグ及び原稿がＡＤＦ側に先にセットされたことを示すＡＤＦ先行フラグが記憶されており、ＦＢ先行フラグ及びＡＤＦ先行フラグは、後述する先行判断処理で「オン」と「オフ」とが変更される。
【０１０４】
（読取選択表示処理）
実施形態３の読取選択表示処理について図８を参照して説明する。実施形態３の読取選択表示処理では、制御部５０は、まず後述する先行判断処理を実行し（Ｓ６０）、Ｓ２２２に移行する。
【０１０５】
Ｓ２２２では、制御部５０は、ＦＢ先行フラグ及びＡＤＦ先行フラグのいずれもが「オフ」であるか否か、即ち原稿がＦＢ側とＡＤＦ側に同時にセットされたか否かを判断する（Ｓ２２２）。
【０１０６】
制御部５０は、Ｓ２２２で、ＦＢ先行フラグ及びＡＤＦ先行フラグのいずれもが「オフ」であると判断した場合（Ｓ２２２：ＹＥＳ）、Ｓ２２５に移行する。一方、制御部５０は、Ｓ２２２で、ＦＢ先行フラグ及びＡＤＦ先行フラグのいずれかが「オン」であると判断した場合（Ｓ２２２：ＮＯ）、即ち原稿がＡＤＦ側よりＦＢ側に先にセットされた場合、又は原稿がＦＢ側よりＡＤＦ側に先にセットされた場合、Ｓ２２４に移行する。
【０１０７】
Ｓ２２４では、制御部５０は、ＡＤＦ先行フラグが「オン」であるか否か、即ち原稿がＡＤＦ側に先にセットされたか否かを判断する。
【０１０８】
制御部５０は、Ｓ２２４でＡＤＦ先行フラグが「オン」であると判断した場合（Ｓ２２４：ＹＥＳ）、選択表示における選択結果に関する設定情報について、「ＦＢ読取の選択有」と設定してＲＡＭ５４に記憶させ（Ｓ２２８）、読取選択表示処理を終了する。
【０１０９】
一方、制御部５０は、Ｓ２２４でＡＤＦ先行フラグが「オフ」であると判断した場合（Ｓ２２４：ＮＯ）、即ち先行判断処理において、原稿がＦＢ側に先にセットされたと判断した場合、選択表示における選択結果に関する設定情報について、「ＡＤＦ読取の選択有」と設定してＲＡＭ５４に記憶させ（Ｓ２２９）、読取選択表示処理を終了する。
【０１１０】
制御部５０がＳ２２５、Ｓ２２６、Ｓ２２７でそれぞれ実行する処理については、実施形態１の読取選択表示で説明した内容と同様であるため簡略化して説明する。Ｓ２２５では、制御部５０は、実施形態１のＳ２２（図６参照）で説明した選択表示Ｄ４（図４参照）を表示部９に表示させ、Ｓ２２６に移行する。
【０１１１】
Ｓ２２６では、制御部５０は、選択表示Ｄ４において、ユーザによってＦＢ読取及びＡＤＦ読取のうちいずれか一方が選択され、制御部５０が選択された信号を受け付けたか否か、即ち選択表示Ｄ４において選択が有ったか否かを判断する。制御部５０は、選択された信号を受け付けていないと判断した場合（Ｓ２２６：ＮＯ）、選択表示Ｄ４において選択が有るまでＳ２４の処理を繰り返し実行する。制御部５０は、選択された信号を受け付けたと判断した場合（Ｓ２２６：ＹＥＳ）、Ｓ２２７に移行する。
【０１１２】
Ｓ２２７では、制御部５０は、ＦＢ読取を選択する信号を受け付けたか否か、即ちＦＢ読取が選択されたか否かを判断する。制御部５０は、Ｓ２２７でＦＢ読取を選択する信号を受け付けたと判断した場合（Ｓ２２７：ＹＥＳ）、Ｓ２２８に移行する。制御部５０は、Ｓ２２７でＦＢ読取を選択する信号を受け付けなかったと判断した場合（Ｓ２２７：ＮＯ）、Ｓ２２９に移行する。
【０１１３】
（先行判断処理）
次に、制御部５０がＳ６０で実行する先行判断処理について図９を参照して説明する。先行判断処理では、制御部５０は、まずＡＤＦ読取に関する設定情報をＲＡＭ５４から読み出し、ＡＤＦ読取フラグが「オン」であるか否かを判断する（Ｓ６２）。制御部５０は、Ｓ６２でＲＡＭ５４から読み出したＡＤＦ読取フラグが「オン」であると判断した場合（Ｓ６２：ＹＥＳ）、ＡＤＦ先行フラグを「オン」と設定してＲＡＭ５４に記憶させ（Ｓ６６）、先行判断処理を終了する。
【０１１４】
ここで、Ｓ６２の判断をするのは、ＡＤＦ読取フラグが「オン」である場合、例えば、先にＡＤＦ側に原稿がセットされ、Ｓ３４においてＡＤＦ読取フラグが「オン」と設定された後、ＦＢ側に原稿がセットされたと想定される。本実施形態では、Ｓ４０からＳ２に戻りさらにＳ４に進んだとしても、ＦＢ側に原稿がセットされてからＦＢ読取フラグが「オン」と設定される前にＳ２０の読取選択表示処理が実行されるから、Ｓ２でカバーセンサ６６がオンしても直ちにＦＢ読取フラグが「オン」にはならない。Ｓ２０の読取選択表示処理を実行するときは、Ｓ２でカバーセンサ６６がオンしてもＦＢ読取フラグが「オフ」のままであるから、ＡＤＦ読取フラグを参照することで、ＦＢ側に原稿がセットされるよりも先にＡＤＦ側に原稿がセットされたことを判断することができる。
【０１１５】
一方、制御部５０は、Ｓ６２でＲＡＭ５４から読み出したＡＤＦ読取フラグが「オン」でない場合（Ｓ６２：ＮＯ）、即ちＡＤＦ読取フラグが「オフ」である場合、ＦＢ読取に関する設定情報をＲＡＭ５４から読み出し、ＦＢ読取フラグが「オン」であるか否かを判断する（Ｓ６４）。
【０１１６】
制御部５０は、Ｓ６４でＲＡＭ５４から読み出したＦＢ読取フラグが「オン」である場合（Ｓ６４：ＹＥＳ）、ＦＢ先行フラグを「オン」と設定してＲＡＭ５４に記憶させ（Ｓ６７）、先行判断処理を終了する。なお、Ｓ６４の判断もＳ６２の判断と同様である。Ｓ４でフロントセンサ１８がオンしてもＦＢ読取フラグが「オン」である場合、例えば、先にＦＢ側に原稿がセットされ、Ｓ３６においてＦＢ読取フラグが「オン」と設定された後、ＡＤＦ側に原稿がセットされたと想定されるからである。
【０１１７】
一方、制御部５０は、Ｓ６４でＲＡＭ５４から読み出したＦＢ読取フラグが「オン」でない場合、即ちＡＤＦ読取フラグもＦＢ読取フラグも「オフ」である場合（Ｓ６４：ＮＯ）、ＦＢ先行フラグ及びＡＤＦ先行フラグを「オフ」と設定してＲＡＭ５４に記憶させ（Ｓ６８）、先行判断処理を終了する。具体的には、ＡＤＦ読取フラグもＦＢ読取フラグも「オフ」である場合は、例えば、Ｓ２でカバーセンサ６６がオンであり、Ｓ４でフロントセンサ１８がオンであるが、Ｓ３４及びＳ３６の処理が実行されていない場合が想定される。
【０１１８】
（実施形態３の効果）
実施形態３の表示切替処理における効果について説明する。本実施形態の複合機１では、制御部５０は、ＦＢ側とＡＤＦ側の両方に原稿がセットされた場合、ＦＢ側とＡＤＦ側のどちらに先に原稿がセットされたのかを判断する先行判断処理を実行する。そして、制御部５０は、先行判断処理の判断結果に応じて、第１読取部２１及び第２読取部２２をＡＤＦ読取とＦＢ読取のいずれで動作させるかを決定する。具体的には、制御部５０は、ＲＡＭ５４が記憶しているＦＢ先行フラグ及びＡＤＦ先行フラグの「オン」、「オフ」状態に応じて、ＦＢ読取表示とＡＤＦ読取表示のいずれか一方を他方よりも優先して表示部９に表示させる。このため、ＦＢ側とＡＤＦ側にそれぞれ原稿がセットされたタイミングを反映させながら、原稿の読み取りに関して指示可能な機能を示す表示を優先して表示部９に表示させることができ、ユーザの利便性を向上させることができる。
【０１１９】
ここで、ＦＢ側とＡＤＦ側の両方に原稿がセットされた場合、ユーザは、原稿が後にセットされた方に対応する原稿の読み取りに関する機能を選択することが多い。本実施形態の複合機１では、制御部５０は、ＦＢ側とＡＤＦ側の両方に原稿がセットされたと判断した場合、先行判断処理において、ＦＢ読取フラグ及びＡＤＦ読取フラグを参照することでＦＢ側とＡＤＦ側のいずれに先に原稿がセットされたかを判断し、ＦＢ先行フラグ及びＡＤＦ先行フラグを「オン」又は「オフ」と設定する。そして、その後、制御部５０は、ＲＡＭ５４が記憶しているＦＢ先行フラグ及びＡＤＦ先行フラグに基づいて、原稿が後にセットされた方に対応する読取方法で第１読取部２１及び第２読取部２２を動作させる。即ち、制御部５０は、ＦＢ側とＡＤＦ側のうち、原稿が後にセットされた方に対応する原稿の読み取りに関する機能を示す表示を優先して表示部９に表示させる。このため、ユーザの意図を表示部の表示に反映させ易くすることができる。
【０１２０】
（実施形態３の変形例）
実施形態３の変形例について説明する。本変形例は、Ｓ１２でＡＤＦ読取表示について制御部５０が表示部９に表示させる表示態様、及びＳ１４でＦＢ読取について制御部５０が表示部９に表示させる表示態様等、が異なっている。
【０１２１】
本変形例では、制御部５０は、Ｓ１２において、ＡＤＦ読取表示をＦＢ読取表示よりも強調して表示部９に表示させる。具体的には、制御部５０は、例えば、ＦＢ読取表示を通常の表示態様で表示部９に表示させ、ＡＤＦ読取表示をＦＢ読取表示よりも濃い色を使用して表示部９に表示させる。そして、制御部５０は、その後にＳ４０からＳ２に戻り、先行判断処理を実行したときに、Ｓ６６でＡＤＦ先行フラグが「オン」と設定された場合、その後のＳ１４において、ＦＢ読取表示をＡＤＦ読取表示よりも強調して表示部９に表示させる。
【０１２２】
また、本変形例では、制御部５０は、Ｓ１４において、ＦＢ読取表示をＡＤＦ読取表示よりも強調して表示部９に表示させる。具体的には、制御部５０は、例えば、ＡＤＦ読取表示を通常の表示態様で表示部９に表示させ、ＦＢ読取表示をＡＤＦ読取表示よりも濃い色を使用して表示部９に表示させる。そして、制御部５０は、その後にＳ４０からＳ２に戻り、先行判断処理を実行したときに、Ｓ６７でＦＢ先行フラグが「オン」と設定された場合、その後のＳ１２において、ＡＤＦ読取表示をＦＢ読取表示よりも強調して表示部９に表示させる。
【０１２３】
以上のように本変形例では、ＡＤＦ読取表示及びＦＢ読取表示のうち、原稿がセットされた方と対応する原稿の読み取りに関する機能を示す表示が他方よりも濃い色を使用して表示されることで、他方よりも強調して表示される。原稿の読み取りに関して指示可能な機能を示す表示をユーザが容易に認識することができる。
【０１２４】
また、本変形例では、ＦＢ側とＡＤＦ側の両方に原稿がセットされた場合、ＲＡＭ５４が記憶しているＦＢ先行フラグ及びＡＤＦ先行フラグに基づいて、ＡＤＦ読取表示とＦＢ読取表示のうち、原稿が後にセットされた方と対応する原稿の読み取りに関する機能を示す表示が他方の表示よりも強調されて表示部９に表示される。このため、ユーザの意図を表示部９の表示に反映させ易くすることができる。
【０１２５】
（実施形態４）
次に、実施形態４の表示切替処理について説明する。実施形態４の表示切替処理は、実施形態１の表示切替処理のフローチャートにおけるＳ１０、Ｓ１２、Ｓ１４の各処理（図５参照）を除いた処理が、実施形態１と同様である。そのため、実施形態１と同様の処理については説明を省略する。
【０１２６】
先に実施形態４における表示部９の表示態様について図１０を参照して説明する。実施形態４では、制御部５０は、ＡＤＦ読取表示とＦＢ読取表示の両方を含む表示を複数のページに亘って表示部９に表示させる。具体的には、図１０の符号Ｄ７に示すように、ＡＤＦ読取表示とＦＢ読取表示の両方を含む表示が２ページに亘って表示される。
【０１２７】
図１０の符号Ｄ７に示す表示は、ＡＤＦ読取表示とＦＢ読取表示の両方を含む表示が全て通常の表示態様で表示されている。以下、符号Ｄ７で示す表示を第２の初期表示と称する。第２の初期表示Ｄ７では、両面読取機能、ＡｕｔｏＣｒｏｐ機能等を示す各表示が１ページ目Ｄ７Ａに表示され、白紙除去機能、ブックスキャン機能等を示す各表示が２ページ目Ｄ７Ｂに表示される。
【０１２８】
次に、実施形態４の表示切替処理について図１１のフローチャートを参照して説明する。実施形態４の表示切替処理では、制御部５０は、Ｓ６でフロントセンサ１８がオンしていると判断した場合（Ｓ６：ＹＥＳ）、後述するＡＤＦ表示移動処理を実行し（Ｓ７０）、Ｓ３４に移行する。
【０１２９】
一方、制御部５０は、Ｓ６でフロントセンサ１８がオンしていないと判断した場合（Ｓ６：ＮＯ）、ＡＤＦ読取表示及びＦＢ読取表示が第２の初期表示Ｄ７の位置から変更されていれば、ＡＤＦ読取表示及びＦＢ読取表示を第２の初期表示Ｄ７の位置に移動させ（Ｓ３１０）、即ち第２の初期表示Ｄ７を表示部９に表示させ、Ｓ３２に移行する。
【０１３０】
また、制御部５０は、Ｓ４でフロントセンサ１８がオンしていないと判断した場合（Ｓ４：ＮＯ）、後述するＦＢ表示移動処理を実行し（Ｓ８０）、Ｓ３６に移行する。
【０１３１】
（ＡＤＦ表示移動処理）
次に、制御部５０がＳ７０で実行するＡＤＦ表示移動処理について図１２を参照して説明する。ＡＤＦ表示移動処理では、制御部５０は、まずＲＡＭ５４からＡＤＦ読取フラグを読み出し、ＡＤＦ読取フラグが「オフ」であるか否か、即ちＡＤＦ読取表示が複数のページに亘って表示部９に表示されているか否かを判断する（Ｓ７２）。
【０１３２】
制御部５０は、Ｓ７２でＡＤＦ読取フラグが「オフ」であると判断した場合（Ｓ７２：ＹＥＳ）、ＡＤＦ読取表示が複数のページに亘って表示部９に表示されているので、ＡＤＦ読取表示を先頭ページに移動させた表示を表示部９に表示させ（Ｓ７４）、Ｓ７６に移行する。一方、制御部５０は、Ｓ７２でＡＤＦ読取フラグが「オン」であると判断した場合（Ｓ７２：ＮＯ）、Ｓ７６に移行する。
【０１３３】
Ｓ７６では、制御部５０は、ＦＢのみ機能表示をグレーアウトして表示部９に表示させ（Ｓ７６）、ＡＤＦ表示移動処理を終了する。従って、Ｓ７６では、表示部９に示される表示が図１０の符号Ｄ７に示す第２の初期表示から符号Ｄ８に示す表示に変更される。
【０１３４】
図１０の符号Ｄ８は、ＡＤＦ読取表示を先頭ページに移動させ、ＦＢのみ機能表示をグレーアウトさせた表示であるＡＤＦ読取先頭表示を示している。ＡＤＦ読取先頭表示Ｄ８では、１ページ目Ｄ８Ａに、ＡＤＦのみ機能である、両面読取機能、白紙除去機能等を示す各表示が表示され、２ページ目Ｄ８Ｂに、ＦＢのみ機能である、ＡｕｔｏＣｒａｐ機能、ブックスキャン機能等を示す各表示が表示される。
【０１３５】
（ＦＢ表示移動処理）
次に、制御部５０がＳ８０で実行するＦＢ表示移動処理について図１３を参照して説明する。ＦＢ表示移動処理では、制御部５０は、まずＲＡＭ５４からＦＢ読取フラグを読み出し、ＦＢ読取フラグが「オフ」であるか否か、即ちＦＢ読取表示が複数のページに亘って表示部９に表示されているか否かを判断する（Ｓ８２）。
【０１３６】
制御部５０は、Ｓ８２でＦＢ読取フラグが「オフ」であると判断した場合（Ｓ８２：ＹＥＳ）、ＦＢ読取表示が複数のページに亘って表示されているので、ＦＢ読取表示を先頭ページに移動させた表示を表示部９に表示させ（Ｓ８４）、Ｓ８６に移行する。一方、制御部５０は、Ｓ８２でＦＢ読取フラグが「オン」であると判断した場合（Ｓ８２：ＮＯ）、Ｓ８６に移行する。
【０１３７】
Ｓ８６では、制御部５０は、ＡＤＦのみ機能表示をグレーアウトして表示部９に表示させ（Ｓ８６）、ＦＢ表示移動処理を終了する。従って、Ｓ８６では、表示部９に示される表示が図１４の符号Ｄ７に示す第２の初期表示から符号Ｄ９に示す表示に変更される。
【０１３８】
図１０の符号Ｄ９は、ＦＢ読取表示を先頭ページに移動させ、ＡＤＦのみ機能表示をグレーアウトさせた表示であるＦＢ読取先頭表示を示している。ＦＢ読取先頭表示Ｄ９では、１ページ目Ｄ９Ａに、ＦＢのみ機能である、ＡｕｔｏＣｒａｐ機能、ブックスキャン機能等を示す各表示が表示され、２ページ目Ｄ８Ｂに、ＡＤＦのみ機能である、両面読取機能、白紙除去機能等を示す各表示が表示される。
【０１３９】
（実施形態４の効果）
実施形態４の表示切替処理における効果について説明する。本実施形態の複合機１では、制御部５０は、ＡＤＦ読取表示とＦＢ読取表示の両方が表示部９に２ページに亘って表示されるとき、ＡＤＦ読取表示とＦＢ読取表示のうち、表示部９において優先して表示させる表示を１ページ目に表示させる。このように、原稿の読み取りに関する指示可能な機能を示す表示が先頭のページに表示されることで、原稿の読み取りに関する機能をユーザが容易に選択することができる。
【０１４０】
＜他の実施形態＞
本明細書によって開示される技術は上記既述及び図面によって説明した実施形態に限定されるものではなく、例えば次のような種々の態様も含まれる。
（１）上記の各実施形態では、表示部がタッチパネル方式とされた例を示したが、これに限定されない。例えば表示部に隣接したハードキーを備え、そのハードキーが押さられることによって、表示部に表示された複数の表示の中からいずれか一つの表示を選択することができる方式であってもよい。
【０１４１】
（２）上記の各実施形態では、視認性が低い表示としてグレーアウト表示を例示したが、視認性が低い表示としてその他の表示方法を用いてもよい。例えば、ＦＢ読取表示又はＡＤＦ読取表示について、背景色に近い色を使用することにより視認性を低くしてもよいし、濃度の低い色を使用することにより視認性を低くしてもよい。
【０１４２】
（３）上記の各実施形態では、フロントセンサを用いてＡＤＦ側に原稿がセットされているか否かを判断する例を示したが、原稿搬送ユニットに他のセンサが設けられていてもよい。この場合、当該他のセンサを用いて、または当該他のセンサを併用してＣＰＵが供給トレイにおける原稿の有無を判断してもよい。
【０１４３】
（４）上記の各実施形態では、カバーセンサを用いてＦＢ側に原稿がセットされているか否かを判断する例を示したが、原稿搬送ユニット又は読取ユニットに他のセンサが設けられていてもよい。この場合、当該他のセンサを用いて、または当該他のセンサを併用してＣＰＵが第１プラテンガラス上における原稿の有無を判断してもよい。
【０１４４】
（５）上記の各実施形態では、Ｓ４０において、カバーセンサ又はフロントセンサからの検知信号に変更があったか否かによってＡＤＦ側又はＦＢ側の原稿のセット状態に変更があったか否かを判断する例を示したが、フロントセンサからの検知信号のみによってＡＤＦ側又はＦＢ側の原稿のセット状態に変更があったか否かを判断してもよい。
【０１４５】
（６）上記の各実施形態において、複数のＣＰＵのみにより表示切替処理を実行する構成や、ＡＳＩＣ（Ａｐｐｌｉｃａｔｉｏｎ  ｓｐｅｃｉｆｉｃ  Ｉｎｔｅｇｒａｔｅｄ  Ｃｉｒｃｕｉｔ）等のハード回路のみにより表示切替処理を実行する構成、更にはＣＰＵ及びハード回路により表示切替処理を実行する構成でもよい。
【符号の説明】
【０１４６】
１：複合機、２：本体ユニット、３：読取ユニット、４：原稿搬送ユニット、７：操作部、９：表示部、１４：供給トレイ、１５：第１プラテンガラス、１８：フロントセンサ、１９：リアセンサ、２１：第１読取部、２２：第２読取部、３８：搬送部、５０：制御部、５１：ＣＰＵ、５２：ＲＯＭ、５４：ＲＡＭ、５５：ＡＳＩＣ、６４：表示制御部、６６：カバーセンサ、Ｄ１：第１の初期表示、Ｄ４：選択表示、Ｄ７：第２の初期表示
【図１】
2014204353.tif 000003
【図２】
2014204353.tif 000004
【図３】
2014204353.tif 000005
【図４】
2014204353.tif 000006
【図５】
2014204353.tif 000007
【図６】
2014204353.tif 000008
【図７】
2014204353.tif 000009
【図８】
2014204353.tif 000010
【図９】
2014204353.tif 000011
【図１０】
2014204353.tif 000012
【図１１】
2014204353.tif 000013
【図１２】
2014204353.tif 000014
【図１３】
2014204353.tif 000015